(57)【特許請求の範囲】
【請求項１】
被固定物の左右部に外接され左右方向の内側に向けて開口した平面が略コ字形をなした左部前板部、左部端板部、左部後板部からなる左嵌合部材と右部前板部、右部端板部、右部後板部からなる右嵌合部材とを左右一対に一体的に備え、前記嵌合部材と被固定物の間に楔体を設けるようにした固定金具において、前記嵌合部材の正面の左、右前板部の少なくとも一方に、該嵌合部材の後板部方向に向けて開口した前面側案内路を縦向きに設け、この前面側案内路に前面楔体を摺動自在に設けて、この前面楔体に第1の荷重付加部を設けると共に、前記嵌合部材の側面左右のうちの一方の側面に被固定物側面に向けて開口した側面側案内路を縦向きに設け、この側面側案内路に側面楔体を摺動自在に設けたことを特徴とする固定金具。
【請求項２】
前記第１の荷重付加部には前記嵌合部材に係止可能なストッパーが設けられたことを特徴とする請求項１記載の固定金具。
【請求項３】
前記第１の荷重付加部は前記前面楔体に回動自在に接続したことを特徴とする請求項１又は２記載の固定金具。
【請求項４】
前記側面楔体に第２の荷重付加部を設けたことを特徴とする請求項１〜３のいずれか１項に記載の固定金具。
【発明の詳細な説明】
【技術分野】
【０００１】
本発明は、楔方式で支柱等の任意の高さに組付けることができるようにした足場組立或いは棚などの固定金具に関するものである。
【背景技術】
【０００２】
従来、この種のものとして連結軸を介して蝶番状に開閉可能に連結され、閉じた状態で支柱に外接される左右各部材と、左右両部材の一方の連結軸と反対側の端部に縦軸回りに回転可能に支持させた横軸の螺子と、この螺子に螺合されたナットと、左右両部材の他方の連結軸と反対側の端部に形成され前記螺子が挿通される溝とを備え、さらに左右両部材の中央部を、これらを閉じた状態で支柱の中心から離れる方向にコ字形に凸曲させたポケットが形成されており、左右両部材を開いてこれらの間に支柱を挟み込み、螺子を溝に振り込んだ後、ナットを締め込んで左右両部材で支柱を挟持することにより、支柱の任意の高さに固定することができると共に、組付部品の楔をその端面が支柱に接するようにしてポケットに差し込むことができ、寸法が規格化されている既製の組付部品をそのまま使用することができるものが知られている（例えば特許文献１）。
【特許文献１】特開平９−２４２３３０号公報
【発明の開示】
【発明が解決しようとする課題】
【０００３】
前記従来技術においては、左右両部材の中央部を平面視において更に外側にコ字形に凸曲させてポケットを形成するようにしたものであるが、支柱とコ字形の部位間の空隙に組付部品の楔を挿入するようになっているため、楔を安定性よく挿入しにくいという問題がある。
【０００４】
解決しようとする問題点は、被固定物の左右部に外接され左右方向の内側に向けて開口して平面がコ字形をなした左右嵌合部材を左右一対に一体的に備えた固定金具において、楔体の挿入の安定性を向上できるようにした点である。
【課題を解決するための手段】
【０００５】
請求項１の発明は、被固定物の左右部に外接され左右方向の内側に向けて開口した平面が略コ字形をなした左部前板部、左部端板部、左部後板部からなる左嵌合部材と右部前板部、右部端板部、右部後板部からなる右嵌合部材とを左右一対に一体的に備え、前記嵌合部材と被固定物の間に楔体を設けるようにした固定金具において、前記嵌合部材の正面の左、右前板部の少なくとも一方に、該嵌合部材の後板部方向に向けて開口した前面側案内路を縦向きに設け、この前面側案内路に前面楔体を摺動自在に設けて、この前面楔体に第1の荷重付加部を設けると共に、前記嵌合部材の側面左右のうちの一方の側面に被固定物側面に向けて開口した側面側案内路を縦向きに設け、この側面側案内路に側面楔体を摺動自在に設けたことを特徴とする固定金具である。
【０００６】
請求項２の発明は、前記第１の荷重付加部には前記嵌合部材に係止可能なストッパーが設けられたことを特徴とする請求項１記載の固定金具である。
【０００７】
請求項３の発明は、前記第１の荷重付加部は前記前面楔体に回動自在に接続したことを特徴とする請求項１又は２記載の固定金具である。
【０００８】
請求項４の発明は、前記側面楔体に第２の荷重付加部を設けたことを特徴とする請求項１〜３のいずれか１項に記載の固定金具である。
【発明の効果】
【０００９】
請求項１の発明によれば、前面楔体により被固定物と固定金具との前後方向を緩みなく固定でき、また側面楔体より被固定物と固定金具との左右方向を緩みなく固定できる。
【００１０】
請求項２の発明によれば、第１の荷重付加部の荷重により生じたトルクをストッパーにより抗することができる。
【００１１】
請求項３の発明によれば、第１の荷重付加部を上向きにすることなどが可能となる。
【００１２】
請求項４の発明によれば、第２の荷重付加部により側面楔体に荷重を負荷することができる。
【発明を実施するための最良の形態】
【００１３】
本発明における好適な実施の形態について、添付図面を参照して説明する。尚、以下に説明する実施の形態は、特許請求の範囲に記載された本発明の内容を限定するものではない。また、以下に説明される構成の全てが、本発明の必須要件であるとは限らない。
【実施例１】
【００１４】
図１〜９は実施例１を示しており、この実施例などで記載している左右前後の方向は特定方向をあらわしているのでなく、相対的な方向を示している。そして実施例１ではＩ型鋼、Ｈ型鋼等鉄骨や構造物などの平面視が矩形の鉄など被固定物１である金属板に例えば固定物である足場板２或いは棚板などを横向に固定するために用いられる固定金具３の場合を示している。被固定物１の左右前後には、左右端面部１Ａ，１Ｂと幅大で平らな前面板部１Ｃと後面板部１Ｄが形成されている。尚、固定物は固定金具３によってその端を被固定物１に固定するものであればよく、足場以外に棚状のような被固定物１に対して横向に張り出すようなものであればよい。
【００１５】
そして、被固定物１の左右部に外接して嵌合し、内側に向けて開口する左嵌合部材４、右嵌合部材５を左右一対に間隔をおいて一体的に設ける。
【００１６】
被固定物１の左端面部１Ａを外接して外嵌合する左嵌合部材４は、内側を開口するように、すなわち左端面部１Ａに対向する側を開口するように平面視がコ字形となるように左部端板部４Ａと、この左部端板部４Ａの前部に内側に向けて前面板部１Ｃにあてがうように直角方向に突出する左部前板部４Ｂと、左部端板部４Ａの後部に内側に向けて後面板部１Ｄにあてがうように直角方向に突出する左部後板部４Ｃとを備えるものであって、左部後板部４Ｃの内側端部には後述する右部後板部５Ｃに向けて左部中間板部４Ｄが一体に突出している。
【００１７】
そして、左部前板部４Ｂには前後方向に向けてボルト等の雄螺子部材４Ｅが進退自在に螺合したものであって、左部前板部４Ｂの前面側に配置している頭部を回動することで先端を前面板部１Ｃに圧着して固定できるようになっている。
【００１８】
被固定物１の右端面部１Ｂを外接して外嵌合する右嵌合部材５は、内側を開口するように、すなわち右端面部１Ｂに対向する側を開口するように平面視がコ字形となるように右部端板部５Ａと、この右部端板部５Ａの前部に内側に向けて前面板部１Ｃにあてがうように直角方向に突出する右部前板部５Ｂと、右部端板部５Ａの後部に内側に向けて後面板部１Ｄにあてがうように直角方向に突出する右部後板部５Ｃとを備えるものであって、右部後板部５Ｃの内側端部には左部後板部４Ｃに向けて右部中間板部５Ｄが一体に突出している。
【００１９】
さらに、左部中間板部４Ｄと右部中間板部５Ｄが連結している。この連結は左部中間板部４Ｄと右部中間板部５Ｄの一方に係止部５Ｅを設けると共に、他方に係止部５Ｅが選択的に係止可能な複数の係止受け部４Ｆが幅方向に間隔をおいて並設している。実施例では、右部中間板部５Ｄの後面に後端に径大な頭部を設けた軸を後方へ向けて係止部５Ｅとして突設する。左部中間板部４Ｄにおいては、係止部５Ｅが通り抜け可能な貫通孔４Ｇが横向に形成されると共に、この貫通孔４Ｇの幅方向に下向きの切り欠き部が係止受け部４Ｆとして複数並設しており、係止部５Ｅを貫通孔４Ｇを介して移動していずれかの係止受け部４Ｆに係止することで、左部中間板部４Ｄと右部中間板部５Ｄとを被固定物１の幅に合わせて連結できるようになっている。
【００２０】
そして、右部前板部５Ｂにおける内面５Ｂ´は下部側が上部側より後方に配置するように一様に傾斜している。すなわち、右部後板部５Ｃに対向する内面５Ｂ´の下部は内面５Ｂ´の上部よりも右部後板部５Ｃに近づくように同じ傾斜角を有して内側に向けて傾斜して形成されている。尚、内面５Ｂ´の傾斜角度と後述する前面楔体６の楔前板部６Ｂの前面の傾斜角度は同じ角度に形成されている。すなわち、楔前板部６Ｂの下部は上部よりも右部後板部５Ｃに近づくように同じ傾斜角を有して内側に向けて傾斜して形成されている。これにより、前面楔体６を前板部５Ｂの内面５Ｂ´に上下方向摺動自在に取り付ける案内のために、前板部５Ｂの内面５Ｂ´に前面側案内路５Ｆを溝状に設ける。この前面側案内路５Ｆは、内面５Ｂ´を前側に平面視がコ字形或いはＵ字形となるような凹状の溝に形成したものであり、この前面側案内路５Ｆに楔前板部６Ｂが嵌合して上下方向に摺動できるようになっている。
【００２１】
前記前面楔体６は、金属製で下端側の前後方向の厚みＡを小さく上端側の前後方向の厚みＢを大きく形成したものであり、物と物とが離れないように両方に挟まれて介在して、物（被固定物１の前後方向）と物（固定金具３の前後方向）をつなぎあわすものであり、前面楔体６は、後板部５Ｃに対向するように楔前板部６Ｂの左右に左右一対の楔側板部６Ｃを配置し楔開口６Ａを形成した平面視コ字形或いはＵ字形で縦長な金具により形成されており、楔側板部６Ｃの前方に向けた後端面６Ｄには三角状の突起が上下方向に鋸歯状となっている。この後端面６Ｄの縦方向はほぼ垂直状態に形成されている。
【００２２】
さらに、左右一対の楔側板部６Ｃの上端側には、足場板２や棚板を連結する第１の荷重付加部８が設けられている。荷重付加部８は、前述のように足場２や棚板が固定されるものであって、前面楔体６の上部に起伏可能なように基端側アーム部８Ａを左右一対の楔側板部６Ｃに軸８Ｂを介して回動自在に接続し、その先端側に足場板２や棚板を固定するための取り付け台８Ｃが一体に設けられている。さらに、取り付け台８Ｃの下面にストッパー８Ｄが設けられる。このストッパー８Ｄは、取り付け台８Ｃに対してほぼ直角に突設するもので、取り付け台８Ｃが水平位置に回動するとストッパー８Ｄが右部前板部５Ｂの外面に係止することにより、取り付け台８Ｃ、ひいては足場板２や棚板を水平に維持できるようになっている。
【００２３】
さらに、右部端板部５Ａおける内面５Ａ´は下部側が上部側より後方に配置するように一様に傾斜している。すなわち、左部端板部４Ａに対向する内面５Ａ´の下部は内面５Ａ´の上部よりも左部端板部４Ａに近づくように同じ傾斜角を有して内側に向けて傾斜して形成されている。尚、内面５Ａ´の傾斜角度と後述する側面楔体９の楔奥板部９Ｂの角度は同じ角度に形成されている。すなわち、楔奥板部９Ｂの下部は上部よりも左部端板部４Ａに近づくように同じ傾斜角を有して内側に向けて傾斜して形成されている。これにより、側面楔体９を右部端板部５Ａの内面に上下方向摺動自在に取り付ける案内のために、右部端板部５Ａの内面に側面側案内路５Ｇを溝状に設ける。この側面側案内路５Ｇは、内面５Ａ´を内側に平面視がコ字形或いはＵ字形となるような凹状の溝に形成したものであり、この側面側案内路５Ｇに楔奥板部９Ｂが嵌合して上下方向に摺動できるようになっている。
【００２４】
前記側面楔体９は、金属製で下端側の左右方向の厚みＣを小さく上端側の左右方向の厚みＤを大きく形成したものであり、物と物とが離れないように両方に挟まれて介在して、物（被固定物１の左右方向）と物（固定金具３の左右方向）をつなぎあわすものであり、側面楔体９は、内側が左部端板部４Ａに対向する楔奥板部９Ｂの左右に左右一対の楔側板部９Ｃを配置した平面視矩形で縦長な金具により形成されており、内側の楔内板部９Ａには前方に向けた三角状の突起が上下方向に鋸歯状となっている。この楔内板部９Ａの縦方向はほぼ垂直状態に形成されている。
【００２５】
そして、側面楔体９と側面側案内路５Ｇとの間に上下方向摺動自在な抜け止め手段10が介在する。この抜け止め手段10は、右部端板部５Ａに上下方向に細長い貫通孔10Ａが形成されており、この貫通孔10Ａを楔奥板部９Ｂに固定した軸部材10Ｂが遊挿すると共に、この軸部材10Ｂの先端の径大部10Ｃが右部端板部５Ａの外面に係止して固定された軸部材10Ｂに対して右側楔体９が貫通孔10Ａの長手方向の範囲で摺動して移動できるようになっている。尚、貫通孔10Ａにかえて貫通孔を右側楔体９に形成すると共に、軸部材10Ｂを右嵌合部材５に固定するようにしてもよい。
【００２６】
さらに、側面楔体９に荷重付加部８とは別に下向きの第2の荷重付加部11を設ける。この荷重付加部11は、必要に応じて設けられるものであり、図５、図７においては実線で示したが、それ以外の図においては一点鎖線で示している。荷重付加部11は、実施例では荷重付加部８と一体的に設けられているものであり、アーム部８Ａの上面或いは取り付け台８Ｃより横向右方向に延長して側面楔体９の上方まで設けた延長板からなる連設部材11Ａを設け、この連設部材11Ａの側面楔体９の真上に雌螺子孔11Ｂを上下方向に形成すると共に、雌螺子孔11Ｂに、連設部材11Ａに対して昇降できると共に下端11Ｄ側が側面楔体９の上面に当接可能な昇降部材であるボルトからなる雄螺子軸11Ｃを螺合させたものである。この荷重付加部11は螺子結合ではなく、連設部材11Ａに固定され側面楔体９に荷重を負荷できるような突起のようなものでもよい。
【００２７】
次に前記構成についてその作用を説明する。予め側面楔体９を抜け止め手段10を介在して一体化しておき、そして左嵌合部材４、右嵌合部材５とを左右から被固定物１に嵌合する。すなわち、左右端面部１Ａ，１Ｂに左部端板部４Ａ、右部端板部５Ａをそれぞれ、前面板部１Ｃに左部前板部４Ｂ、右部前板部５Ｂを、後面板部１Ｄに左部後板部４Ｃと右部後板部５をあてがうようにして、被固定物１の左右から左嵌合部材４、右嵌合部材５を嵌合する。この際、係止部５Ｅを貫通孔４Ｇに沿って幅方向に移動させ、左嵌合部材４、右嵌合部材５が被固定物１に遊嵌するように係止部５Ｅをいずれかの係止受け部４Ｆに係止して左右方向の長さ調節を行う。この際、側面楔体９は右嵌合部材５に対して高い位置に保持しておく。すなわち軸部材10Ｂが貫通孔10Ａの高い位置となるように維持しておく。このようにして被固定物１を左嵌合部材４、右嵌合部材５によって左右方向より外嵌合すると共に、右端面部１Ｂと右部端板部５Ａとの間には側面楔体９が介在している。
【００２８】
次に、前面楔体６を前面側案内路５Ｆに挿入して荷重付加部８を取り付ける。この取り付けは、まず作業しやすいように軸８Ｂを介して取り付け台８Ｃを上向き状態としておく。そして、楔前板部６Ｂを右部前板部５Ｂに摺動自在に当接させるようにして前面楔体６を前面側案内路５Ｆに挿入する。これにより前面板部１Ｃと右部前板部５Ｂとの間に前面楔体６を介在させる。この前面楔体６は設置当初においては落とし込まないように前面板部１の上端に前面楔体６の上端が配置するように比較的高い位置に位置決めしておく。この後、取り付け台８Ｃを横向に回動すると共に、ストッパー８Ｄを右部前板部５Ｂに係止させることにより、取り付け台８Ｃを横向に保持することができる。この状態で、固定具３に足場板２或いは棚板などを組み立てる。
【００２９】
このように組み立てられた状態で、足場板２或いは棚板などの荷重が前面楔体６に加わると、前面楔体６の後端面６Ｄが被固定物１の前面板部１Ｃに楔作用により圧着して被固定物１に固定具３を介して足場板２或いは棚板などを固定することができる。万一、例えば前面板部１Ｃと後面板部１Ｄの厚みが薄くなったような場合には、前面楔体６と前面板部１Ｃとの間に隙間が形成される。しかしながら、前面楔体６が案内路５Ｆに沿って下降すると共に後退して前面楔体６は前面板部１Ｃに当接し、前面楔体６を介して被固定物１に固定金具３を緩むことなく固定することができる。
【００３０】
また、足場板２或いは棚板などの荷重が側面楔体９に加わると、側面楔体９の楔内板部９Ｂが被固定物１の右端面部１Ｂに楔作用により圧着して被固定物１に固定具３を介して足場板２或いは棚板などを固定することができる。万一、左右端面部１Ａ，１Ｂ間の幅が薄くなったような場合には、側面楔体９と右端面部１Ｂとの間に隙間が形成される。しかしながら、側面楔体９が側面側案内路５Ｇに沿って下降すると共に内側に進み出て側面楔体９は右端面部１Ｂに当接し、側面楔体９を介して被固定物１に固定金具３を緩むことなく固定することができる。
【００３１】
尚、荷重付加部11については次のように用いられる。まず、前面楔体６を案内路５Ｆに挿入して荷重付加部８を取り付け、ストッパー８Ｄを右部前板部５Ｂに係止させることにより、取り付け台８Ｃを横向に保持した状態で、連設部材11Ａが側面楔体９の真上に配置される。そして雄螺子軸11Ｃを雌螺子孔11Ｂに螺合させてその下端11Ｄを側面楔体９の上面に当接させる。この状態で、固定具３に足場板２或いは棚板などを組み立てるものである。
【００３２】
したがって、前面楔体６のみならず側面楔体９にも、荷重付加部８、荷重付加部11を介して、足場２であれば体重が、棚であれば載せた物品の重量が負荷されることとなる。このため万一、前面板部１Ｃと後面板部１Ｄの厚みが薄くなり、前面楔体６と前面板部１Ｃとの間に隙間が形成され、また左右端面部１Ａ，１Ｂ間の幅が薄くなったような場合には、側面楔体９と右端面部１Ｂとの間に隙間が形成されると、荷重付加部８により荷重が負荷された前面楔体６が前面側案内路５Ｆに沿って下降すると共に後退して前面楔体６は前面板部１Ｃに当接し、また荷重付加部11により荷重が負荷された側面楔体９が側面側案内路５Ｇに沿って下降すると共に前進して前面板部１Ｃに当接し、前面楔体６、側面楔体９を介して被固定物１に固定金具３を緩むことなく固定することができるようになっている。
【００３３】
以上のように、前記実施例では、被固定物１の左右部に外接され左右方向の内側に向けて開口した平面が略コ字形をなした左右嵌合部材４，５を左右一対に一体的に備え、これら左右の嵌合部材４，５の内側に楔体６，９を設け、右嵌合部材５の正面に後方に向けて開口した前面側案内路５Ｆを縦向きに設け、この前面側案内路５Ｆに前面楔体６を摺動自在に設け、この正面側楔体６に荷重付加部８を設け、前記右嵌合部材５の右部端板部５Ａに内面に向けて開口した側面側案内路５Ｇを縦向きに設け、この側面側案内路５Ｇに側面楔体９を摺動自在に設けことにより、前面楔体６により被固定物１と固定金具３との前後方向を緩みなく固定でき、また側面楔体９より被固定物１と固定金具３との左右方向を緩みなく固定できる。
【００３４】
また、前記荷重付加部８には右嵌合部材５に係止可能なストッパー８Ｄが設けられたことにより、荷重付加部８の荷重により生じたトルクをストッパー８Ｄにより抗することができ、足場板２或いは棚板を確実に保持することができる。
【００３５】
さらに、荷重付加部８は前面楔体６に回動自在に接続したことによって、正面側楔体６を前面側案内路５Ｆに挿入するときなどにおいて、荷重付加部８を上向きにすることなどが可能となり、作業性を向上することができる。
【実施例２】
【００３６】
以下に、他の実施例について説明する。尚、前記実施例1と同一部分には同一符号を付し、その詳細な説明を省略する。図10は実施例２を示しており、荷重付加部11において、雄螺子軸11Ｃの下端に、該雄螺子軸11Ｃと同軸状で雌螺子孔11を貫通可能なコイルスプリングやゴムなどの弾性体11Ｅを設け、この弾性体11Ｅの下端11Ｄ´を側面楔体９の上面に上方から当接できるようにしたものである。
【００３７】
したがって、雄螺子軸11Ｃを雌螺子孔11Ｂに螺合させて下端11Ｄ´を側面楔体９の上面に当接させる。この状態で、足場板２からの体重や或いは棚板からの重量などが前面楔体６に直接に負荷されると共に、側面楔体９には弾性体11Ｅを介して負荷されるようになり、一つの荷重付加部８における取り付け台８Ｃ側からの荷重を、弾性体11Ｅが圧縮されることで側面楔体９の高さにあわせて調節して側面楔体９に負荷することができる。
【実施例３】
【００３８】
図11は実施例３を示しており、荷重付加部11において、連設部材11Ａの下面にコイルスプリングやゴムなどの弾性体11Ｆを設け、この弾性体11Ｆの下端11Ｄ´を側面楔体９の上面に上方から当接できるようにしたものである。
【００３９】
したがって、荷重付加部８と共に前面楔体６を右嵌合部材５に取り付ける際、弾性体11Ｆを側面楔体９の上面に当接させる。この状態で、足場板２からの体重や或いは棚板からの重量などが前面楔体６に直接に負荷されると共に、側面楔体９には弾性体11Ｆを介して負荷されるようになり、一つの荷重付加部８における取り付け台８Ｃ側からの荷重を、弾性体11Ｆが圧縮されることで側面楔体９の高さにあわせて調節して側面楔体９に負荷することができる。
【産業上の利用可能性】
【００４０】
以上のように本発明に係る固定金具は、各種の用途に適用できる。
【図面の簡単な説明】
【００４１】
【図１】本発明の実施例１を示す固定金具の左側からの斜視図である。
【図２】同固定金具の右側からの斜視図である。
【図３】同固定金具の平面図である。
【図４】同固定金具の底面図である。
【図５】同固定金具の左側からの分解斜視図である。
【図６】同固定金具の右側からの分解斜視図である。
【図７】同固定金具のストッパーを上げた状態の斜視図である。
【図８】同固定金具の平断面図である。
【図９】同固定金具の縦断面図である。
【図１０】本発明の実施例２を示す斜視図である。
【図１１】本発明の実施例３を示す斜視図である。
【符号の説明】
【００４２】
１ 被固定物
４ 左嵌合部材
４Ａ 左部端板部
４Ｂ 左部前板部
４Ｃ 左部後板部
５ 右嵌合部材
５Ａ 右部端板部
５Ｂ 右部前板部
５Ｃ 右部後板部
５Ｆ 前面側案内路
５Ｇ 側面側案内路
６ 前面楔体
８ 第１の荷重付加部
８Ｄ ストッパー
９ 側面楔体
11 第２の荷重付加部
【図１】
0005115903.tif 000002
【図２】
0005115903.tif 000003
【図３】
0005115903.tif 000004
【図４】
0005115903.tif 000005
【図５】
0005115903.tif 000006
【図６】
0005115903.tif 000007
【図７】
0005115903.tif 000008
【図８】
0005115903.tif 000009
【図９】
0005115903.tif 000010
【図１０】
0005115903.tif 000011
【図１１】
0005115903.tif 000012